(57)【要約】【課題】  簡単な調整作業で芝を回収する回転ブラシの高さを調整できるスイーパーのブラシ高さ調整機構を提供する。【解決手段】  塵芥を上方に案内する掻き上げ風導と、この掻き上げ風導内に塵芥を掻き上げるブラシと、このブラシの地上高さを保持するガイド車輪とを備えたスイーパーのブラシ高さ調整機構において、前記ガイド車輪は揺動自在に枢支されたアームに取付けられ、前記アームは抜差し可能な複数枚の調整板を介在して掻き上げ風導に取付けられ、調整板の介在枚数によりブラシの地上高さを調整できるようにしたことを特徴とする。【選択図】  図４
2007315012.tif 000002
【特許請求の範囲】
【請求項１】
塵芥を上方に案内する掻き上げ風導と、この掻き上げ風導内に塵芥を掻き上げるブラシと、このブラシの地上高さを保持するガイド車輪とを備えたスイーパーのブラシ高さ調整機構において、前記ガイド車輪は揺動自在に枢支されたアームに取付けられ、前記アームは抜差し可能な複数枚の調整板を介在して掻き上げ風導に取付けられ、調整板の介在枚数によりブラシの地上高さを調整できるようにしたことを特徴とするスイーパーのブラシ高さ調整機構。
【請求項２】
介在した調整板を保持することができる上下動可能なストッパーボルトが掻き上げ風導に設けられ、ストッパーボルトとアームの間の調整板の介在枚数および／またはストッパーボルトの上下の位置によってブラシの高さを調整できるようにしたことを特徴とする請求項１に記載のスイーパーのブラシ高さ調整機構。
【発明の詳細な説明】
【技術分野】
【０００１】
この発明は、ゴルフ場、公園などにおいて、芝を刈った後の芝カスなどの塵芥を回収するスイーパーの塵芥を掻き上げるブラシの高さ調整機構に関するものである。
【背景技術】
【０００２】
従来のこの種の一般的なスイーパーを図１及び図６について説明する。図１は従来のスイーパー全体を示す側面図、図６は従来のスイーパーの要部を示す側面図である。図において、１はエンジンにより自走するスイーパーの車体、３は塵芥を入れるホッパー、４はホッパー３に通じる掻き上げ風導、５は掻き上げ風導４内で回転して地上の塵芥を掻き上げる回転ブラシ、６は前記掻き上げ風導４に取付けられたガイド車輪である。前記掻き上げ風導４はシリンダー７によってスイーパーの車体１に上下動可能に取付けられ、１０，１１は掻き上げ風導４のリンクアームである。
【０００３】
前記回転ブラシ５は掻き上げ風導４の下端部に軸が水平方向になるように装着され、このブラシ５の上方部にはブラシ５で掻き上げられた塵芥をホッパーへ投入するローター８，９が設けられる。図示ではローター８，９が二段の場合が示されている。前記ガイド車輪６は図６に示すように掻き上げ風導４の側部に上下動可能に設けられたスライドアーム７ａに取り付けられ、長孔７ｂ分上下動する。１２はスライドアーム７ａの固定ボルト、１３はスライドアーム７ａのストッパーボルトである。
【０００４】
かかるスイーパー１はエンジン２により走行しながら回転ブラシ５により地上の塵芥を掻き上げて掻き上げ風導４からホッパー３内に回収する。
【発明の開示】
【発明が解決しようとする課題】
【０００５】
従来のこの種のスイーパーは塵芥を回転ブラシ５によってすくい上げて芝カスを回収するのであるが、回転ブラシ５は芝先と軽く触れる程度が良く、きつく当て過ぎると芝を傷め、また当たらないと未回収となる。このためブラシと芝面との間隔を一定に保つためガイド車輪６を取り付けて、ブラシの地上高さを一定に保持する必要がある。
【０００６】
しかしながら、一般のゴルフ場ではその芝地を大別すると、グリーン、フェアウェイ、ラフとあり、それぞれの芝の毛丈高さは３〜６ｍｍ、８〜１５ｍｍ、２５〜４０ｍｍと違い、各作業域が替わる度に回転ブラシ５の高さ調整を行なう必要がある。従来のブラシ高さ調整方法としては図６に示すように、ガイド車輪６が上下動可能となるようスライドアーム７ａに取り付けられているので、前記スライドアーム７ａの長孔７ｂに挿入されている固定ボルト１２を緩め、ストッパーボルト１３を螺動することによって調整していた。この調整作業は前記した作業域が替わる毎に行なわなければならないので、その作業が非常に面倒で、調整作業に多大な時間を要した。
【０００７】
この発明はかかる従来技術の問題を解消するために創案されたものであり、簡単な調整作業で芝を回収する回転ブラシの高さを調整できるスイーパーのブラシ高さ調整機構を提供することを目的とする。
【課題を解決するための手段】
【０００８】
この発明は、塵芥を上方に案内する掻き上げ風導と、この掻き上げ風導内に塵芥を掻き上げるブラシと、このブラシの地上高さを保持するガイド車輪とを備えたスイーパーのブラシ高さ調整機構において、前記ガイド車輪は揺動自在に枢支されたアームに取付けられ、前記アームは抜差し可能な複数枚の調整板を介在して掻き上げ風導に取付けられ、調整板の介在枚数によりブラシの地上高さを調整できるようにしたことを特徴とするスイーパーのブラシ高さ調整機構である。また、この発明の好ましい態様では、介在した調整板を保持することができる上下動可能なストッパーボルトが掻き上げ風導に設けられ、ストッパーボルトとアームの間の調整板の介在枚数および／またはストッパーボルトの上下の位置によってブラシの高さを調整できるようにしている。
【発明の効果】
【０００９】
この発明によれば、調整板を抜差しする簡単な操作でブラシの地上高さを適正高さに調整でき、従って、グリーン、フェアウェイ、ラフといった芝の毛丈高さが違う作業域においても芝の回収を確実に行うことができ、作業能率を上げることができるという効果が得られる。
【発明を実施するための最良の形態】
【００１０】
この発明の一実施形態を図２〜図５を参照して説明する。図２はブラシ高さ調整機構の要部を示す斜視図、図３〜図５はブラシ高さ調整機構の作用を説明する要部の側面図であり、前記従来のものと同一または相当部分には同一符号を附して説明を省略する。
【００１１】
図２において、１４は前方下端部に前記ガイド車輪６を取付けられ、後端部を支軸１５に枢着されたアームで、支軸１５を中心に揺動自在になっている。１６は前記アーム１４の上端部に取付けられた抜差し可能な調整板であり、複数枚重ねてあって、ピン１７を中心に回転可能となっている。この調整板１６は掻き上げ風導４の側部に設けられたストッパーボルト１３の下端部に当接して設けられ、前記アーム１４の上端部とストッパーボルト１３の下端部の間に介在する調整板１６の枚数によって、その間隙を変更できるものである。１８ａ、１８ｂは前記調整板１６を前述の間隔に差し入れ時、又は抜いた時に調整板１６を保持する板バネである。
【００１２】
次に図３〜５を用いてこの発明のブラシ高さ調節機構の作用について説明する。図３に示すように調整板１６をアーム１４とストッパーボルト１３の間の間隙から全て抜いて板バネ１８ｂ側に保持させると、アーム１４が直接ストッパーボルト１３に当接することになるので、前記アーム１４は支軸１５を中心に上動し、即ち、ガイド車輪６が上方位置となるので、回転ブラシ５は地上に接近し、ブラシ高さが地表に近い低い状態となる。次に、図５に示すように、調整板１６全てを前記間隙に板バネ１８ａ側を差し込むと、アーム１４は調整板１６を介してストッパーボルト１３に当接することになるので、アーム１４は支軸１５を中心に下動し、即ち、ガイド車輪６が下方位置となるので、回転ブラシ５は地表より上動し、ブラシ高さは地表から遠い高い状態になる。また、図４に示すように、前記間隙に調整板１６を数枚介在させると、前述したブラシ５の地上高さは図３と図５の場合の中間位置となる。更に、夏期等に芝の育成が活性化されて芝の刈り込みが短い（毛丈高さが低い）場合、予めストッパーボルト１３を上動させておくと、基準となるブラシ高さが低くなる。
【産業上の利用可能性】
【００１３】
この発明は、簡単な操作でブラシの地上高さを調整できるので、グリーン、フェアウェイ、ラフといった芝の毛丈高さが違う作業域での芝の回収の必要なゴルフ場において有用である。
【図面の簡単な説明】
【００１４】
【図１】従来のスイーパー全体を示す側面図である。
【図２】この発明のブラシ高さ調整機構の要部を示す斜視図である。
【図３】この発明のブラシ高さ調整機構の作用を説明する要部の側面図である。
【図４】この発明のブラシ高さ調整機構の作用を説明する要部の側面図である。
【図５】この発明のブラシ高さ調整機構の作用を説明する要部の側面図である。
【図６】従来のスイーパーの要部を示す側面図である。
【符号の説明】
【００１５】
１  スイーパーの車体
２  エンジン
３  ホッパー
４  掻上げ風導
５  回転ブラシ
６  ガイド車輪
７  シリンダー
７ａ  スライドアーム
７ｂ  長孔
８  ローター
９  ローター
１０  掻き上げ風導のリンクアーム
１１  掻き上げ風導のリンクアーム
１２  固定ボルト
１３  ストッパーボルト
１４  アーム
１５  支軸
１６  調整板
１７  ピン
１８ａ  板バネ
１８ｂ  板バネ
【図１】
2007315012.tif 000003
【図２】
2007315012.tif 000004
【図３】
2007315012.tif 000005
【図４】
2007315012.tif 000006
【図５】
2007315012.tif 000007
【図６】
2007315012.tif 000008